(57)【特許請求の範囲】
【請求項１】
回線接続部を介して公衆電話回線又は構内電話回線と接続された基地局と、基地局を介して通話を行うための移動局と、を備えた無線電話システムの識別コード登録方式であって、
前記基地局は、前記回線接続部の前記回線との接続状態を電気的に検出する接続状態検出部を有し、接続状態検出部が、基地局の通電状態のとき回線との未接続状態を検出したときに、前記移動局の識別コード登録を行うよう成したことを特徴とする無線電話システムの識別コード登録方式。
【請求項２】
回線接続部を介して公衆電話回線又は構内電話回線と接続された基地局と、基地局を介して通話を行うための移動局と、を備えた無線電話システムの識別コード登録方式であって、
前記基地局は、前記回線を介して通話等の回線利用を行うための有線電話装置を接続する電話接続端子と、前記電話接続端子の前記回線との接続状態を電気的に検出する接続状態検出部と、を有し、接続状態検出部が、基地局の通電状態のとき電話接続端子と回線接続部とが電気的に接続されたのを検出したときに、前記移動局の識別コード登録を行うよう成したことを特徴とする無線電話システムの識別コード登録方式。
【請求項３】
回線接続部を介して公衆電話回線又は構内電話回線と接続された基地局と、基地局を介して通話を行うための移動局と、を備えた無線電話システムの識別コード登録方式であって、
前記基地局は、前記回線を介して通話、回線利用等を行うための有線電話装置を接続する電話接続端子と、前記電話接続端子の前記回線との接続状態を電気的に検出する接続状態検出部と、を有し、有線電話装置が回線利用開始状態となった後、基地局が通電状態になったときに、前記移動局の識別コード登録を行うよう成したことを特徴とする無線電話システムの識別コード登録方式。
【発明の詳細な説明】
【０００１】
【発明の属する技術分野】
本発明は、例えば携帯電話、簡易型携帯電話（ＰＨＳ）などの移動局と、屋内基地局との無線電話システムの識別コード登録方式に関する。
【０００２】
【従来の技術】
従来、回線接続部を介して公衆電話回線又は構内電話回線と接続された基地局と、基地局を介して通話を行うための移動局と、を備えた無線電話システムにあっては、例えば公衆電話回線に接続された屋内基地局としての自営無線基地局へ、移動局である、例えば携帯通信装置としての簡易型携帯電話の識別コード（ＩＤ）（ＰＳ−ＩＤと呼ばれている）を登録するとともに、その簡易型携帯電話へ自営無線基地局のＩＤ（ＣＳ−ＩＤと呼ばれている）を登録して使用している。すなわち、上記のそれぞれのＩＤ登録にて、自営無線基地局を介しての所定の簡易型携帯電話以外の他の簡易型携帯電話による回線使用を防止することが出来、正しい回線利用状態が維持される。
【０００３】
上記のＩＤ登録の方式としては、例えば、自営無線基地局本体に設けられている、所定のＩＤ登録モード設定スイッチを操作したり、自営無線基地局本体に有線電話装置を接続する電話接続端子を有する構成のものにおいては、有線電話装置に設けられている各種機能用操作スイッチの、例えば予め決められた所定の複数個の操作釦を同時に押圧操作したりして、簡易型携帯電話本体の動作モード状態を無線電話システムのそれぞれのＩＤの登録動作モードへ移行させ、無線電話システムのＩＤ登録操作を行っていた。
【０００４】
【発明が解決しようとする課題】
ところで、上記の、所定のＩＤ登録モード設定スイッチを操作する方式においては、自営無線基地局本体を、設定作業をする作業者が登録モード設定スイッチを操作し易い場所に設置する必要がある。その結果、自営無線基地局は、その本体を壁面、天井面等に埋め込んで設置することが不可能となって設置場所の制約が生することとなる。従って、デザイン面においても登録モード設定スイッチの操作性の配慮を必要とするものであった。また、有線電話装置の所定の操作釦を操作して簡易型携帯電話本体の動作モードをＩＤ登録動作モードへ移行させる方式においては、無線電話システムのＩＤ登録操作を行うために有線電話装置を必ず設ける必要がある。そして、ＩＤ登録動作モードへ移行させるための操作は、簡単な操作手順であれば通常使用時における操作間違いにてＩＤ登録動作モードへ移行する問題が生じたり、複雑な操作手順であればＩＤ登録動作モードへの移行が複雑となってＩＤ登録操作が難しいものとなった。
【０００５】
本発明は、上記事由に鑑みてなしたもので、その目的とするところは、自営無線基地局本体、有線電話装置を直接操作する必要がなく、移動局の操作にて容易にＩＤ登録操作を行うことのできる無線電話システムの識別コード登録方式を提供することにある。
【０００６】
【課題を解決するための手段】
上記目的を達成するために、請求項１記載の無線電話システムの識別コード登録方式は、回線接続部を介して公衆電話回線又は構内電話回線と接続された基地局と、基地局を介して通話を行うための移動局と、を備えた無線電話システムの識別コード登録方式であって、前記基地局は、前記回線接続部の前記回線との接続状態を電気的に検出する接続状態検出部を有し、接続状態検出部が、基地局の通電状態のとき回線との未接続状態を検出したときに、前記移動局の識別コード登録を行うよう成している。
【０００７】
また、請求項２記載の無線電話システムの識別コード登録方式は、回線接続部を介して公衆電話回線又は構内電話回線と接続された基地局と、基地局を介して通話を行うための移動局と、を備えた無線電話システムの識別コード登録方式であって、前記基地局は、前記回線を介して通話等の回線利用を行うための有線電話装置を接続する電話接続端子と、前記電話接続端子の前記回線との接続状態を電気的に検出する接続状態検出部と、を有し、接続状態検出部が、基地局の通電状態のとき電話接続端子と回線接続部とが電気的に接続されたのを検出したときに、前記移動局の識別コード登録を行うよう成している。
【０００８】
また、請求項３記載の無線電話システムの識別コード登録方式は、回線接続部を介して公衆電話回線又は構内電話回線と接続された基地局と、基地局を介して通話を行うための移動局と、を備えた無線電話システムの識別コード登録方式であって、前記基地局は、前記回線を介して通話、回線利用等を行うための有線電話装置を接続する電話接続端子と、前記電話接続端子の前記回線との接続状態を電気的に検出する接続状態検出部と、を有し、有線電話装置が回線利用開始状態となった後、基地局が通電状態になったときに、前記移動局の識別コード登録を行うよう成している。
【０００９】
【発明の実施の形態】
以下、本発明の無線電話システムの識別コード登録方式の第１の実施の形態を図１乃至図４に基づいて、第２の実施の形態を図５乃至図７に基づいて、第３の実施の形態を図８乃至図１０に基づいてそれぞれ説明する。
【００１０】
［第１の実施の形態］
図１は、本発明の無線電話システムの構成を示す説明図である。図２は、図１に示す無線電話システムの設置状態を示す説明図である。図３は、図１に示す無線電話システムの無線基地局の要部である回線状態検出部の構成図である。図４は、第１の実施の形態の無線電話システムの識別コード登録方式を示すフローチャートである。
【００１１】
この無線電話システムの識別コード登録方式は、例えば、図２に示すように住宅などの屋内に設置されるもので、回線接続部を介して公衆電話回線と接続された基地局に相当する自営無線基地局（以下、無線基地局と称する）１と、無線基地局１を介して通話を行うための無線電話システムで移動局に相当する携帯無線通信装置（以下携帯通信装置と称する）２と、を備えた無線電話システムの識別コード登録方式として用いられる。
【００１２】
無線基地局１は、その本体を天井面あるいは壁面等に埋め込んで設置されて使用されるもので、図１に示すように、アンテナ１１ａをもった無線回路部１１と、無線通信制御部１２と、音声信号処理部１３と、回線Ｉ／Ｆ部１４と、制御部１５と、記憶部１６と、入力部１７と、出力部１８と、回線状態検出部１９と、電源回路部１０と、回線接続端子部１Ａと、を備えている。
【００１３】
無線回路部１１は、音声信号や制御信号等の伝送信号を電波信号に変換し、アンテナ１１ａを介して、携帯通信装置２、２、…との間にて電波信号による無線通信を行う。
【００１４】
無線通信制御部１２は、アンテナ１１ａによる無線通信の送受信状態を切り換える制御を行うもので、例えばＴＤＭＡ／ＴＤＤ（Time Division Multiple Access/Time Division Duplexing）方式にて、無線回線における無線通信制御等を行う。
【００１５】
音声信号処理部１３は、無線通信制御部１２から出力された、例えばＡＤＰＣＭ（適応差分ＰＣＭ）処理の施された音声信号をＰＣＭ音声信号へ復合化して伸長しし、さらにＤＡ変換して音声信号に変換して回線Ｉ／Ｆ部１４へ出力したり、また、回線Ｉ／Ｆ部１４から出力されたアナログ信号の音声信号をＡＤ変換してＰＣＭ音声信号へ変換した後、ＡＤＰＣＭ処理を行って音声符号化し無線通信制御部１２へ出力したりする。なお、この音声信号処理部１３は、音声信号に対するハウリング防止を目的としたエコーキャンセル処理、音声信号の送受信切り換えによる回線交換処理なども行っている。
【００１６】
回線Ｉ／Ｆ部１４は、公衆電話回線に対する、プッシュホン電話のトーン信号であるＤＴＭＦ信号及びダイヤルパルス式電話のダイヤルパルス信号の送受信、通話に際しての発着信処理、通話信号伝送等の制御を行う。
【００１７】
制御部１５は、無線基地局１全体の制御を行うもので、マイクロプロセッサ（ＣＰＵ）にて形成されている。
【００１８】
記憶部１６は、例えば、制御部１５のＣＰＵの動作手順を規定する制御プログラムなどを記憶するためのＲＯＭと、無線基地局１の動作状態など、制御部１５によって処理されうるデータを記憶するためのＲＡＭと、携帯通信装置２、２、…のＰＳ−ＩＤや無線基地局１のＣＳ−ＩＤのデータを記憶するためのＥＥＰＲＯＭとを有して構成されている。なお、ＰＳ−ＩＤ、ＣＳ−ＩＤについては、例えば公衆電話回線を介して接続されている交換センター側から書き込む場合、後述する入力部１７を介して書き込む場合、上記の無線回路部１１、無線通信制御部１２を介して書き込む場合などが考えられる。
【００１９】
入力部１７は、無線基地局１の動作モードの切り替え、操作釦などの操作による操作入力等を行うもので、操作スイッチなどにて形成されている。
【００２０】
出力部１８は、例えばＬＥＤ素子などの無線基地局１の動作モードの表示を行う表示手段を有して形成され、外部機器への各種信号出力などを行う。
【００２１】
回線状態検出部１９は、後述する回線接続端子部１Ａによる公衆電話回線網６との接続状態を電気的に検出する、接続状態検出部に相当するもので、回線接続端子部１Ａにおける公衆電話回線との直流閉結動作、公衆電話回線の極性反転検出、公衆電話回線からの１６Ｈｚの呼び出し信号の検出及び公衆電話回線における発信音、呼び出し中音、話中音の検出などを行う。詳しくは、図３に示すように、回線接続端子部１Ａから回線Ｉ／Ｆ部１４へ向けての、それぞれ異なる方向の通電電流を検出するフォトカプラ素子ＰＣ１、ＰＣ２をもって構成されている。このフォトカプラ素子ＰＣ１、ＰＣ２による通電電流の検出結果である出力Ｍ１、Ｍ２は制御部１５のＣＰＵへ入力される。
【００２２】
電源回路部１０は、商用電源のＡＶ１００Ｖを所望の直流電圧に変換し、無線基地局１を構成する上記の各回路に対して電源を供給する。
【００２３】
回線接続端子部１Ａは、回線接続部に相当するものである。この回線接続端子１Ａにより、無線基地局１は、住宅の壁面などに設置されるもので、回線に相当する公衆電話回線網６との物理的な接続を切り離すためのスイッチ有する切分け器４と、住宅外に設置されるもので、公衆電話回線６を介して雷サージ等が住宅内電話回線へ侵入するのを防止するための雷サージ保護回路を有する保安器５とを介して公衆電話回線網６と物理的に接続される。
【００２４】
携帯通信装置２は、例えば、使用者が屋外もしくは屋内において携帯し所持して使用する移動局に相当するもので、例えば、ＰＨＳ（Personal Handy Phone）と呼ばれている所定の簡易型携帯電話の規格に対応する電話機端末にて形成されている。なお、携帯通信装置２は、電話機端末のみに限定するものでなく、例えば文字データなどの送受信を行うＰＤＡ（Personal Data Assistant）と呼ばれる携帯情報端末装置と通信機能とを組み合わせたものであっても良い。
【００２５】
この携帯通信装置２は、自営モードとしての、事務所あるいは家庭内などの屋内などに設置された、上記の無線基地局１を介して自営通信サービスを受けるためのＰＳ−ＩＤを有しており、無線基地局１の存在を検知したときには無線基地局１との間で通信を行うことができる。また、公衆モードとしての、屋外などに設置された図示していない公衆無線基地局から公衆電話回線網６の回線を介しての通話等の回線利用を行うためのＰＳ−ＩＤも有し、さらにトランシーバモードとしての、携帯通信装置２が、無線基地局１のＣＳ−ＩＤとして同一のＣＳ−ＩＤが登録されている場合においては、2つの異なる携帯通信装置２、２間で通信を行うことができる。従って、携帯通信装置２は、釦スイッチの押し操作などによって自営、公衆、トランシーバの各モードを使用目的に応じて個別に選択することができる。なお、このモード選択は、無線回線状況を自動的に検知して各状況に対応して自動的に切り替えても良い。
【００２６】
次に、以上説明した無線電話システムにおいて、回線状態検出部１９が、無線基地局１の通電状態のとき公衆電話回線網６との未接続状態を検出したときに、携帯通信装置２の識別コードであるＰＳ−ＩＤの登録を行う識別コード登録方式について、図３、及び図４に示すフローチャートに基づいて説明する。
【００２７】
図３に示す、回線状態検出部１９のフォトカプラ素子ＰＣ１の出力Ｍ１、フォトカプラ素子ＰＣ２の出力Ｍ２のレベルは、通常、無線基地局１が発着信状態でない場合においては、回線接続端子１Ａの端子間電圧ＶＬは大略４８Ｖとなっており、その結果、フォトカプラ素子ＰＣ１はオン、フォトカプラ素子ＰＣ２はオフとなって、出力Ｍ１がＬ、出力Ｍ２がＨとなっている。今、無線基地局１が、回線接続端子部１Ａの接続されている切分け器４に設けられたスイッチが開路され、公衆電話回線６から切り離されて未接続状態となった場合、発着信状態でないときには上記端子間電圧ＶＬが零となるため、フォトカプラ素子ＰＣ１の出力Ｍ１、フォトカプラ素子ＰＣ２の出力Ｍ２のレベルは、出力Ｍ１、出力Ｍ２のいずれもＨとなる。制御部１５のＣＰＵは、このＭ１、Ｍ２の両方からの入力がＨレベルであることを検出したときに、ＣＰＵ自身の動作を携帯通信装置２のＩＤ登録動作モードへ移行させる。そして、図４に示すフローチャートの手順によって携帯通信装置２のＰＳ−ＩＤを取得し、取得したＰＳ−ＩＤのデータを記憶部１６のＥＥＰＲＯＭへ書き込む。
【００２８】
詳しくは、無線基地局１は、まず、Ｍ１、Ｍ２の両方からの入力がＨレベルであることを検出したときに（ステップ１）、初期設定処理として、リンクチャンネル確立のための制御用スロットを携帯通信装置２へ向けて間欠送信する（スロットとは、ＴＤＭＡ方式において時間軸上で多重化された物理チャンネルに対応するビット列の集まりで、１スロットの長さは０．６２５ｍｓである）。すると、携帯通信装置２が、初期設定処理として、リンクチャンネル確立要求をおこなうと、無線基地局１からリンクチャンネルの割り当てがなされ、その後、携帯通信装置２から無線基地局１へ向けて、周波数並びに時間的な同期を確実にとるための同期バースト信号が送出され、次いで、携帯通信装置２からも同様に同期バースト信号が無線基地局１へ向けて送出されて初期設定処理を終える（ステップ２）。なお、上記のステップ２に合わせて、携帯通信装置２も初期設定処理を終える（ステップ３）。その後、携帯通信装置２においては、操作釦の押し操作などによるＩＤ登録操作入力の処理が成される（ステップ４）。なお、このステップ４の処理は、初期設定処理操作の前でも良い。また、無線基地局１は、携帯通信装置２がステップ３の初期設定処理を終えのを確認し、ＩＤ登録データの送信要求を行い（ステップ５）、所定の情報チャンネルによるアイドルバースト信号が送出されて登録応答待ち状態となる（ステップ６）。その後、携帯通信装置２からも同様にアイドルバースト信号が無線基地局１へ向けて送出され、次いで、ＰＳ−ＩＤデータ送出と、子機増設要求を行う（ステップ７）。すると、無線基地局１は、要求応答としてＣＳ−ＩＤデータ送出を行う（ステップ８）。
【００２９】
上記のそれぞれの処理の後、無線基地局１はＰＳ−ＩＤデータの書込処理を行い（ステップ９）、携帯通信装置２はＣＳ−ＩＤデータの書込を行う（ステップ１０）。そして、無線基地局１は登録完了処理として無線チャンネル切断の処理を行うための送信要求を行い（ステップ１１）、携帯通信装置は、登録完了処理として無線チャンネル切断の処理の完了信号を送出する（ステップ１２）。無線基地局１は、タイムアウト判定を行いながら（ステップ１３）、無線チャンネル切断の処理の完了信号を受信したときに、通常の発着信待ち受け状態へ移行する（ステップ１４）。また、そうでないときには、ＩＤ登録モードを継続する（ステップ１５）。
【００３０】
以上説明した無線電話システムの識別コード登録方式によると、回線状態検出部１９が、無線基地局１の通電状態のとき公衆電話回線６との未接続状態を検出したときに、携帯通信装置２の識別コード登録を行うよう成しているので、無線基地局１本体を直接操作する必要がなく、携帯通信装置２の操作にて容易にＩＤ登録操作を行うことができる。また、この方式においては、電話装置３などの有線電話装置なども必要とせず、さらに、無線基地局１本体を壁面、天井面等に埋め込んで設置することができるという効果も奏する。
【００３１】
［第２の実施の形態］
図５は、第２の実施の形態の無線電話システムの識別コード登録方式を使用する、無線電話システムの構成を示す説明図である。図６は、図５に示す無線電話システムの無線基地局の要部の構成図で、（ａ）は回線状態検出部、（ｂ）は電話装置状態検出部を示す。図７は、第２の実施の形態の無線電話システムの識別コード登録方式を示すフローチャートである。
【００３２】
この無線電話システムの識別コード登録方式は、無線電話システムにおいて、有線電話装置を接続する電話接続端子を付加した点、及び移動局の識別コード登録の開始のときの処理のみが第１の実施の形態と異なるもので、他の構成部材、処理手順は第１の実施の形態のものと同一である。
【００３３】
この無線電話システムの識別コード登録方式も、例えば、図２に示すように住宅などの屋内に設置される無線電話システムに使用されるものである。このものの無線電話システムは、回線接続端子部１Ａを介して公衆電話回線６と接続された基地局に相当する無線基地局１と、無線基地局１を介して通話を行うための無線電話システムで移動局に相当する携帯通信装置２と、有線電話装置に相当する電話装置３と、を備えている。
【００３４】
このものの無線基地局１は、第１の実施の形態の無線基地局に、有線電話装置である電話装置３を物理的に接続するための電話装置接続端子部１Ｂと、この電話装置接続端子部１Ｂに接続された電話装置３の状態を検出する電話装置状態検出部１Ｃと、を付加して構成している。なお、このものの回線接続端子部１Ａは、図６（ａ）に示すように、公衆電話回線６を接続するための端子１Ａａ、１Ａａと、無線基地局１の内部回路にて電源の接続された端子１Ａｂと、無線基地局１の内部回路にてグランドの接続された端子１Ａｃとが設けられている。
【００３５】
電話装置接続端子部１Ｂは、電話接続端子に相当するもので、公衆電話回線網６を介して通話等の回線利用を行うための電話装置３が接続される。この電話装置接続端子部１Ｂは、図５に示すように、後述する、識別コードＰＳ−ＩＤの登録のときに、外部電線としてのツイストペアー線などの接続電線１Ｅにて上記の回線接続端子部１Ａと接続するための外部接続端子１Ｄとともに、後述する電話装置状態検出部１Ｃに設けられている。
【００３６】
電話装置状態検出部１Ｃは、電話装置接続端子部１Ｂの公衆電話回線網６との接続状態を電気的に検出する接続状態検出部に相当するもので、回線接続端子部１Ａ、電話装置接続端子部１Ｂを介して公衆電話回線網６と接続された電話装置３の接続状態を検出する。電話装置状態検出部１Ｃは、詳しくは、図６（ｂ）に示すように、電話装置３の接続状態を検出するフォトカプラ素子ＰＣ３と、回線接続端子部１Ａに接続電線１Ｅにて接続される外部接続端子１Ｄとの間の通電電流を検出するフォトカプラ素子ＰＣ４と、をもって構成されている。そして、このフォトカプラ素子ＰＣ３、ＰＣ４による通電電流の検出結果である出力Ｍ３、Ｍ４は、制御部１５のＣＰＵへ入力される。
【００３７】
電話装置３は、住宅などにて使用される一般の有線電話装置で、例えばアナログ電話回線としての公衆電話回線６に接続されるアナログ電話機にて形成されている。なお、電話装置３は、このアナログ電話機以外に、一般のアナログ式コードレス電話、ファックス装置などであっても良い。
【００３８】
次に、以上説明した無線電話システムにおいて、電話装置状態検出部１Ｃが、無線基地局１の通電状態のとき電話装置接続端子部１Ｂと回線接続端子部１Ａとが電気的に接続されたのを検出したときに、携帯通信装置２の識別コードであるＰＳ−ＩＤの登録を行う識別コード登録方式について、図６、及び図７に示すフローチャートに基づいて説明する。
【００３９】
図６に示す、電話装置状態検出部１Ｃのフォトカプラ素子ＰＣ４の出力Ｍ４のレベルは、接続電線１Ｅにて回線接続端子部１Ａが直接接続されない場合においては、フォトカプラ素子ＰＣ４はオフとなって、出力Ｍ４はＨとなっている。今、無線電話システムの識別コードＰＳ−ＩＤの登録のために、接続電線１Ｅにて回線接続端子部１Ａと電話装置接続端子部１Ｂとが直接接続されたとき、無線基地局１の内部回路の電源からフォトカプラ素子ＰＣ４の入力側を介して内部回路のグランドへ向けて電流が流れ、フォトカプラ素子ＰＣ４がオン状態となってフォトカプラ素子ＰＣ４の出力Ｍ４のレベルはＬとなる。制御部１５のＣＰＵは、このＭ４からの入力がＬレベルであることを検出したときに、ＣＰＵ自身の動作を携帯通信装置２のＩＤ登録動作モードへ移行させる。そして、図７に示すフローチャートの手順によって、携帯通信装置２のＰＳ−ＩＤを取得し、取得したＰＳ−ＩＤのデータを記憶部１６のＥＥＰＲＯＭへ書き込む。なお、上記の接続電線１Ｅは、識別コードの登録の終了したときにその接続が登録者などにより解除される。
【００４０】
すなわち、無線基地局１は、まず、Ｍ４からの入力がＬレベルであることを検出したときに（ステップ１６）、第１の実施の形態にて説明したステップ２の初期設定処理を行う。そして、以降、第１の実施の形態にて説明した同様の手順によって、携帯通信装置２のＰＳ−ＩＤを取得し、ＰＳ−ＩＤのデータの書込処理を行う。
【００４１】
以上説明した無線電話システムの識別コード登録方式によると、電話装置状態検出部１Ｃが、無線基地局１の通電状態のとき電話装置接続端子部１Ｂと回線接続端子部１Ａとが電気的に接続されたのを検出したときに、携帯通信装置２の識別コード登録を行うよう成しているので、無線基地局１本体を直接操作する必要がなく、接続電線１Ｅの着脱及び携帯通信装置２の操作にて容易にＩＤ登録操作を行うことができる。
【００４２】
［第３の実施の形態］
図８は、第３の実施の形態の無線電話システムの識別コード登録方式を使用する、無線電話システムの構成を示す説明図である。図９は、図８に示す無線電話システムの無線基地局の要部である電話装置状態検出部の構成図である。図１０は、第３の実施の形態の無線電話システムの識別コード登録方式を示すフローチャートである。
【００４３】
この無線電話システムの識別コード登録方式も、無線電話システムにおいて、有線電話装置を接続する電話接続端子を付加した点、及び移動局の識別コード登録の開始のときの処理のみが第１の実施の形態と異なるもので、他の構成部材、処理手順は第１の実施の形態のものと同一である。
【００４４】
このものの無線基地局１は、第１の実施の形態の無線基地局に、有線電話装置である電話装置３を物理的に接続するための電話装置接続端子部１Ｂと、この電話装置接続端子部１Ｂに接続された電話装置３の状態を検出する電話装置状態検出部１Ｆと、を付加して構成している。
【００４５】
電話装置接続端子部１Ｂは、公衆電話回線網６を介して通話等の回線利用を行うための電話装置３を接続する電話接続端子に相当するもので、図８に示すように、回線接続端子部１Ａと接続された、後述する電話装置状態検出部１Ｆに設けられている
【００４６】
電話装置状態検出部１Ｆは、電話装置接続端子部１Ｂに接続された電話装置３の公衆電話回線網６との接続状態を電気的に検出する接続状態検出部に相当するもので、図９に示すように、電話装置３の接続状態を検出するフォトカプラ素子ＰＣ３をもって構成されている。そして、このフォトカプラ素子ＰＣ３による通電電流の検出結果である出力Ｍ３は、制御部１５のＣＰＵへ入力される。
【００４７】
電話装置３は、第２の実施の形態にて説明したものと同一のものである。
【００４８】
次に、以上説明した無線電話システムにおいて、電話装置３が回線利用開始状態となった後、無線基地局１が通電状態になったときに、携帯通信装置２の識別コードであるＰＳ−ＩＤの登録を行う識別コード登録方式について、図９、及び図１０に示すフローチャートに基づいて説明する。
【００４９】
図９に示す、電話装置状態検出部１Ｆのフォトカプラ素子ＰＣ３の出力Ｍ３のレベルは、電話装置接続端子部１Ｂに接続された電話装置３が、例えばハンドセットがオンフック状態で回線利用開始状態でない場合においては電話装置接続端子部１Ｂの端子間インピーダンスは高い状態であり、フォトカプラ素子ＰＣ３はオフとなって、出力Ｍ４がＨとなっている。今、電話装置３のハンドセットをオフフック状態として回線利用開始状態となっている場合、電話装置接続端子部１Ｂの端子間インピーダンスは低い状態となる。その結果、回線接続端子１Ａの端子間電圧ＶＬとして大略４８Ｖがフォトカプラ素子ＰＣ３の入力側へ加わることとなり、フォトカプラ素子ＰＣ３がオン状態となってフォトカプラ素子ＰＣ３の出力Ｍ３のレベルはＬとなる。無線基地局１の電源投入をしたときに、制御部１５のＣＰＵが、このＭ３からの入力がＬレベルであることを検出した場合、まず、ＣＰＵ自身の動作を携帯通信装置２のＩＤ登録動作モードへ移行させる。そして、図１０に示すフローチャートの手順によって、携帯通信装置２のＰＳ−ＩＤを取得し、取得したＰＳ−ＩＤのデータを記憶部１６のＥＥＰＲＯＭへ書き込む。
【００５０】
すなわち、無線基地局１は、電源投入の後、図示していないＣＰＵの初期設定処理を終了し、まず、Ｍ３からの入力がＬレベルであることを検出したときに（ステップ１７）、第１の実施の形態にて説明したステップ２の初期設定処理を行う。そして、以降、第１の実施の形態にて説明した同様の手順によって、携帯通信装置２のＰＳ−ＩＤを取得し、ＰＳ−ＩＤのデータの書込処理を行う。
【００５１】
以上説明した無線電話システムの識別コード登録方式によると、電話装置３が回線利用開始状態となった後、無線基地局１が通電状態になったときに、携帯通信装置２の識別コード登録を行うよう成しているので、無線基地局１本体を直接操作する必要がなく、携帯通信装置２の操作にて容易にＩＤ登録操作を行うことができる。また、この方式においては、電話装置３などの有線電話装置の簡単な操作にて識別コード登録を行うことが出来、さらに、無線基地局１本体を壁面、天井面等に埋め込んで設置することができるという効果も奏する。
【００５２】
【発明の効果】
請求項１記載の無線電話システムの識別コード登録方式は、接続状態検出部が、基地局の通電状態のとき回線との未接続状態を検出したときに、前記移動局の識別コード登録を行うよう成しているので、基地局本体を直接操作する必要がなく、従って、基地局本体を壁面、天井面等に埋め込んで設置できて、移動局の操作にて容易にＩＤ登録操作を行うことがでる。また、さらに有線電話装置などを必要としないという効果も奏する。
【００５３】
また、請求項２記載の無線電話システムの識別コード登録方式は、接続状態検出部が、基地局の通電状態のとき電話接続端子と回線接続部とが電気的に接続されたのを検出したときに、前記移動局の識別コード登録を行うよう成しているので、基地局本体を直接操作する必要がなく、接続電線の着脱及び移動局の操作にて容易にＩＤ登録操作を行うことができる。
【００５４】
また、請求項３記載の無線電話システムの識別コード登録方式は、有線電話装置が回線利用開始状態となった後、基地局が通電状態になったときに、前記移動局の識別コード登録を行うよう成しているので、基地局本体を直接操作する必要がなく、従って、基地局本体を壁面、天井面等に埋め込んで設置できて、簡単な有線電話装置の操作、及び移動局の操作にて容易にＩＤ登録操作を行うことがでる。
【図面の簡単な説明】
【図１】本発明の第１の実施の形態の無線電話システムの識別コード登録方式を使用する、無線電話システムの構成を示す説明図である。
【図２】図１に示す無線電話システムの設置状態を示す説明図である。
【図３】図１に示す無線電話システムの無線基地局の要部である回線状態検出部の構成図である。
【図４】第１の実施の形態の無線電話システムの識別コード登録方式を示すフローチャートである。
【図５】第２の実施の形態の無線電話システムの識別コード登録方式を使用する、無線電話システムの構成を示す説明図である。
【図６】図５に示す無線電話システムの無線基地局の要部の構成図で、（ａ）は回線状態検出部、（ｂ）は電話装置状態検出部を示す。
【図７】第２の実施の形態の無線電話システムの識別コード登録方式を示すフローチャートである。
【図８】第３の実施の形態の無線電話システムの識別コード登録方式を使用する、無線電話システムの構成を示す説明図である。
【図９】図８に示す無線電話システムの無線基地局の要部である電話装置状態検出部の構成図である。
【図１０】第３の実施の形態の無線電話システムの識別コード登録方式を示すフローチャートである。
【符号の説明】
１    自営無線基地局（基地局）
１９  回線状態検出部（接続状態検出部）
１Ａ  回線接続端子部（回線接続部）
１Ｂ  電話装置接続端子部（電話接続端子）
１Ｃ  電話装置状態検出部（接続状態検出部）
１Ｆ  電話装置状態検出部（接続状態検出部）
２    携帯無線通信装置（移動局）
３    電話装置（有線電話装置）
６    公衆電話回線（回線）
【図１】
0003692710.tif 000002
【図２】
0003692710.tif 000003
【図３】
0003692710.tif 000004
【図４】
0003692710.tif 000005
【図５】
0003692710.tif 000006
【図６】
0003692710.tif 000007
【図７】
0003692710.tif 000008
【図８】
0003692710.tif 000009
【図９】
0003692710.tif 000010
【図１０】
0003692710.tif 000011